【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
最初はWi-Fiネットワークにアクセスできないホームオートメーションシステムの構成要素を設定するための方法であって、
タッチセンサ式表示画面を有するモバイル装置上でコンフィギュレーションアプリケーションを実行し、該コンフィギュレーションアプリケーションのユーザインタフェイスがユーザに対して該タッチセンサ式表示画面上に表示され、
該モバイル装置を接続装置を介して該ホームオートメーションシステムの該構成要素に接続し、該接続装置が、該モバイル装置の有線シリアル通信インタフェイスを該構成要素の有線シリアル通信インタフェイスに接続し、
前記タッチセンサ式表示画面上に表示されている前記ユーザインタフェイスで入力された入力に応じて、該モバイル装置から該接続装置を介して該構成要素へ制御信号を送信し、該構成要素のWi-Fi設定を設定して該構成要素を前記Wi-Fiネットワークに接続させ、
該タッチセンサ式表示画面上に表示されている該ユーザインタフェイスで入力された更なる入力に応じて、該モバイル装置から該接続装置又は該Wi-Fiネットワークを介して該構成要素へ更なる制御信号を送信して、今やWi-Fiアクセス可能な該構成要素の更なる設定を設定する
ことからなる方法。
【請求項２】
前記更なる制御信号を送信することが、前記Wi-Fiネットワークを介して前記構成要素へ前記更なる制御信号を送信することである、請求項１に記載の方法。
【請求項３】
前記モバイル装置がスマートフォンである、請求項１に記載の方法。
【請求項４】
前記モバイル装置の前記有線シリアル通信インタフェイスがLightningインタフェイスであり、前記構成要素の前記有線シリアル通信インタフェイスがRS232インタフェイスである、請求項１に記載の方法。
【請求項５】
前記モバイル装置の前記有線シリアル通信インタフェイスがUSB(Universal Serial Bus)インタフェイスであり、前記構成要素の前記有線シリアル通信インタフェイスがRS232インタフェイスである、請求項１に記載の方法。
【請求項６】
前記モバイル装置がコントローラノードとして動作し、前記接続装置がトランスペアレント中間ノードとして動作し、前記構成要素が従属ノードとして動作し、該コントローラノードから該トランスペアレント中間ノードへ送信されるパケットが、該トランスペアレント中間ノードにUART（Universal Asynchronous Receiver/Transmitter）から該従属ノードへ該パケットを送信させるためのUARTパススルーコマンドを含む、請求項１に記載の方法。
【請求項７】
前記ホームオートメーションシステムが複数の照明装置を制御し、前記構成要素が照明コントローラである、請求項１に記載の方法。
【請求項８】
前記構成要素がキーパッドである、請求項１に記載の方法。
【請求項９】
前記構成要素のWi-Fi設定及び更なる設定が設定された後に前記ホームオートメーションシステムの進行中の動作を制御するよう構成された制御アプリケーションを前記モバイル装置上で実行することを更に含む、請求項１に記載の方法。
【請求項１０】
最初はWi-Fiネットワークにアクセスできないホームオートメーションシステムの構成要素を設定するためのシステムであって、
プロセッサ、メモリ、有線シリアル通信インタフェイス、及びタッチセンサ式表示画面を有するモバイル装置であって、該メモリが、コンフィギュレーションアプリケーションを格納するよう構成されており、該タッチセンサ式表示画面が、該コンフィギュレーションアプリケーションのユーザインタフェイスを表示するよう構成されており、該プロセッサが、該コンフィギュレーションアプリケーションを実行するよう構成されており、該コンフィギュレーションアプリケーションが、その実行時に、前記ユーザインタフェイスで入力された入力に応じて前記有線シリアル通信インタフェイスを介して制御コマンドを送信するよう構成されており、該制御コマンドが、前記ホームオートメーションシステムの前記構成要素のWi-Fi設定を設定して該構成要素を前記Wi-Fiネットワークに接続させる、モバイル装置と、
該モバイル装置の前記有線シリアル通信インタフェイスと前記構成要素の有線シリアル通信インタフェイスとに接続される接続装置であって、該モバイル装置と該構成要素との間でトランスペアレント中間ノードとして動作してそれらの間で前記制御コマンドを伝えるよう構成されている、接続装置とを備えており、
前記コンフィギュレーションアプリケーションが、その実行時に、前記ユーザインタフェイスで入力された更なる入力に応じて、前記Wi-Fiネットワークを介して前記構成要素へ更なる制御信号を送信して、今やWi-Fiアクセス可能な前記構成要素の更なる設定を設定するよう更に動作可能なものである、システム。
【請求項１１】
前記モバイル装置がスマートフォンである、請求項１０に記載のシステム。
【請求項１２】
前記モバイル装置の前記有線シリアル通信インタフェイスがLightningインタフェイスであり、前記構成要素の前記有線シリアル通信インタフェイスがRS232インタフェイスである、請求項１０に記載のシステム。
【請求項１３】
前記モバイル装置の前記有線シリアル通信インタフェイスがUSB(Universal Serial Bus)インタフェイスであり、前記構成要素の前記有線シリアル通信インタフェイスがRS232インタフェイスである、請求項１０に記載のシステム。
【請求項１４】
前記モバイル装置がUART（Universal Asynchronous Receiver/Transmitter）パススルーコマンドを含むパケットを前記接続装置へ送信するよう構成されており、これに応じて該接続装置がUARTから該パケットを送出する、請求項１０に記載のシステム。
【請求項１５】
前記ホームオートメーションシステムが複数の照明装置を制御し、前記構成要素が照明コントローラである、請求項１０に記載のシステム。
【請求項１６】
前記構成要素がキーパッドである、請求項１０に記載のシステム。
【請求項１７】
前記モバイル装置の前記メモリが、制御アプリケーションを格納するよう更に構成されており、該制御アプリケーションが、該モバイル装置の前記プロセッサにより実行された際に、前記構成要素のWi-Fi設定及び更なる設定が設定された後に前記ホームオートメーションシステムの進行中の動作を制御するものである、請求項１０に記載のシステム。
【請求項１８】
最初はWi-Fiネットワークにアクセスできないホームオートメーションシステムの構成要素を設定するためのモバイル装置であって、
タッチセンサ式表示画面と、
有線通信インタフェイスと、
Wi-Fiインタフェイスと、
コンフィギュレーションアプリケーションを格納するよう構成されたメモリと、
該コンフィギュレーションアプリケーションを実行するよう構成されたプロセッサとを備えており、該コンフィギュレーションアプリケーションが、その実行時に、
前記タッチセンサ式表示画面で入力された入力に応じて、前記ホームオートメーションシステムの前記構成要素のWi-Fi設定を設定するための制御信号を該モバイル装置から前記有線通信インタフェイスを介して送信して該構成要素を前記Wi-Fiネットワークに接続させ、
前記タッチセンサ式表示画面で入力された更なる入力に応じて、今やWi-Fiアクセス可能な該構成要素の更なる設定を設定するための更なる制御信号を該モバイル装置から該Wi-Fiネットワークを介して該今やWi-Fiアクセス可能な該構成要素へ送信する
よう動作可能なものである、モバイル装置。
【請求項１９】
前記モバイル装置がスマートフォンである、請求項１８に記載のモバイル装置。
【請求項２０】
前記構成要素が照明コントローラである、請求項１８に記載のモバイル装置。